(57)【要約】【課題】プロテクタ本体の側壁の内面にロック手段を設けるものの、電線の噛み込みを防止する。【解決手段】底壁１１と一対の側壁１２、１３を有する断面Ｕ字状のプロテクタ本体１０の一方の側壁１３の内面にロック凸部１４を設け、ロック凸部の上面に傾斜面１４ａを設ける。プロテクタ本体の上面の電線挿入用開口１７ａを閉鎖する蓋体２０に、蓋体を閉じたときプロテクタ本体の側壁の内面に沿って差し込まれる差し込み壁２３を設け、差し込み壁の外面にロック凸部が係合するロック凹部２４を設ける。プロテクタ本体の側壁の上端内面に、蓋体を閉じる際に差し込み壁を側壁の内面に沿うように誘い込む誘導斜面１５を設け、差し込み壁の下端外面に誘導斜面と摺動する傾斜面２５を設ける。【選択図】図１
2012152030.tif 000002
【特許請求の範囲】
【請求項１】
底壁と一対の側壁とを有し、上面が電線挿入用開口として開口し、内部の空間が電線収容空間とされた断面Ｕ字状のプロテクタ本体と、
該プロテクタ本体の上面の電線挿入用開口を閉じる蓋体と、
前記プロテクタ本体の少なくとも一方の側壁に設けられた被ロック部および前記蓋体に設けられて該蓋体が閉じたときに前記被ロック部に係合することで該蓋体を閉位置にロックするロック部とよりなるロック機構と、
を備えたワイヤーハーネス用プロテクタであって、
前記被ロック部として、前記プロテクタ本体の側壁の内面に、前記電線収容空間の内部に向かって突出するロック凸部が設けられ、該ロック凸部は、上面に、前記電線挿入用開口から挿入されたワイヤーハーネスを前記電線収容空間の中央側に向けて誘導する傾斜面を有すると共に、下面に、前記蓋体の開閉方向に対して交差する方向に沿った係止壁面を有し、
前記蓋体には、該蓋体を閉じたときに、前記被ロック部が設けられた前記プロテクタ本体の側壁の内面に沿って差し込まれる差し込み壁が設けられ、該差し込み壁は、外面に、前記ロック凸部が係合するロック凹部が設けられると共に、該ロック凹部の内側壁に、前記蓋体の開閉方向に対して交差し、且つ、前記ロック凹部とロック凸部とが嵌まり合ったとき、前記係止壁面と係合することで前記蓋体を開き方向に係止する係止壁面が設けられ、
更に、前記ロック凸部が設けられたプロテクタ本体の側壁の上端内面に、前記蓋体を閉じる際に前記差し込み壁の下端と前記側壁の上端が接触したとき、前記差し込み壁を前記側壁の内面に沿うように誘い込む誘導斜面が設けられていることを特徴とするワイヤーハーネス用プロテクタ。
【請求項２】
前記差し込み壁の下端外面に、前記側壁の誘導斜面と摺動する傾斜面が設けられており、該差し込み壁の傾斜面と前記側壁の誘導斜面とが凸曲面として構成されていることを特徴とする請求項１に記載のワイヤーハーネス用プロテクタ。
【請求項３】
前記蓋体の一側縁が前記プロテクタ本体の一方の側壁の上端縁に薄肉ヒンジを介して回動自在に連結され、前記蓋体の他側縁に前記差し込み壁が設けられると共に、該差し込み壁に対応する前記プロテクタ本体の他方の側壁の内面に前記ロック凸部が設けられていることを特徴とする請求項１または２に記載のワイヤーハーネス用プロテクタ。
【発明の詳細な説明】
【技術分野】
【０００１】
本発明は、ワイヤーハーネス用プロテクタに関する。
【背景技術】
【０００２】
図３は特許文献１に記載された従来のワイヤーハーネス用プロテクタの断面図である。
このプロテクタは、合成樹脂の一体成形品よりなるもので、プロテクタ本体１１０と、蓋体１２０と、ロック機構１３０とを有している。プロテクタ本体１１０は、底壁１１１と一対の側壁１１２、１１３とを有し、上面が電線挿入用開口１１７ａとして開口し、内部の空間が電線収容空間１１７とされた断面Ｕ字状をなしている。また、蓋体１２０は、プロテクタ本体１１０の上面の電線挿入用開口１１７ａを閉じる板体１２１よりなるもので、薄肉ヒンジ１１８を介して、プロテクタ本体１１０の一方の側壁１１２の上端に回動自在に連結されている。
【０００３】
プロテクタ本体１１０の薄肉ヒンジ１１８と反対側の側壁１１３の外面には、ロック枠１１４が突設されている。また、蓋体１２０のロック枠１１４に対応する位置には、蓋体１２０が閉じたときにロック枠１１４の係止孔１１４ａに差し込まれるロック片１２３が設けられている。ロック片１２３の先端には、ロック片１２３が係止孔１１４ａに差し込まれた際に、ロック枠１１４の下面に係合して、それにより蓋体１２０を閉位置にロックする係止爪１２４が設けられており、これらロック枠１１４と係止爪１２３とでロック機構１３０が構成されている。
【先行技術文献】
【特許文献】
【０００４】
【特許文献１】特開２００９−１７１８１６号公報
【発明の概要】
【発明が解決しようとする課題】
【０００５】
ところで、図３の従来のプロテクタのように、ロック機構１３０を構成するロック枠１１４が、プロテクタ本体１１０の側壁１１３の外面に突設されていると、ロック枠１１４の外方への突出寸法Ｈ分だけ、プロテクタの外径寸法が大きくなり、そのため、車両に搭載する際の周辺スペースとの関係で、ロック枠１１４が搭載スペースの周辺物の邪魔になることがあった。
【０００６】
そこで、側壁１１３の内面にロック枠１１４を設けることが考えられる。しかし、そうすると、蓋体１２０を閉じるときに、プロテクタ本体１１０側のロック枠１１４と蓋体１２０側のロック片１２３との間に電線を噛み込んでしまい、ロックが正しく行われないことが懸念された。
【０００７】
また、ロック枠１１４の係止孔１１４ａにロック片１２３を差し込んで係止爪１２４を係合させる構造の場合、いったんロックが成立してしまうと、ロックを外すのが非常に困難であり、治具でロック枠１１４や係止爪１２４などを無理に変形させながら、ロックを解除せざるを得なかった。しかし、無理にロック枠１１４や係止爪１２４などを変形させた場合、ロック枠１１４や係止爪１２４に無用な損傷を与えてしまい、再ロックさせることが困難になってしまうおそれがあった。
【０００８】
本発明は、上述した事情に鑑みてなされたものであり、その目的は、蓋体をロックするための手段をプロテクタ本体の側壁の外面に設けずに内面に設けることで、車両に搭載する際にロック手段が搭載スペースの周辺物の邪魔になることがなく、しかも、側壁の内面にロック手段を設けるものの、電線の噛み込みを防止することができると共に、ロックの解除も容易にできるようにしたワイヤーハーネス用プロテクタを提供することにある。
【課題を解決するための手段】
【０００９】
前述した目的を達成するために、本発明に係るワイヤーハーネス用プロテクタは、下記（１）〜（３）を特徴としている。
（１）  底壁と一対の側壁とを有し、上面が電線挿入用開口として開口し、内部の空間が電線収容空間とされた断面Ｕ字状のプロテクタ本体と、
該プロテクタ本体の上面の電線挿入用開口を閉じる蓋体と、
前記プロテクタ本体の少なくとも一方の側壁に設けられた被ロック部および前記蓋体に設けられて該蓋体が閉じたときに前記被ロック部に係合することで該蓋体を閉位置にロックするロック部とよりなるロック機構と、
を備えたワイヤーハーネス用プロテクタであって、
前記被ロック部として、前記プロテクタ本体の側壁の内面に、前記電線収容空間の内部に向かって突出するロック凸部が設けられ、該ロック凸部は、上面に、前記電線挿入用開口から挿入されたワイヤーハーネスを前記電線収容空間の中央側に向けて誘導する傾斜面を有すると共に、下面に、前記蓋体の開閉方向に対して交差する方向に沿った係止壁面を有し、
前記蓋体には、該蓋体を閉じたときに、前記被ロック部が設けられた前記プロテクタ本体の側壁の内面に沿って差し込まれる差し込み壁が設けられ、該差し込み壁は、外面に、前記ロック凸部が係合するロック凹部が設けられると共に、該ロック凹部の内側壁に、前記蓋体の開閉方向に対して交差し、且つ、前記ロック凹部とロック凸部とが嵌まり合ったとき、前記係止壁面と係合することで前記蓋体を開き方向に係止する係止壁面が設けられ、
更に、前記ロック凸部が設けられたプロテクタ本体の側壁の上端内面に、前記蓋体を閉じる際に前記差し込み壁の下端と前記側壁の上端が接触したとき、前記差し込み壁を前記側壁の内面に沿うように誘い込む誘導斜面が設けられていること。
（２）  上記（１）の構成のワイヤーハーネス用プロテクタにおいて、
前記差し込み壁の下端外面に、前記側壁の誘導斜面と摺動する傾斜面が設けられており、該差し込み壁の傾斜面と前記側壁の誘導斜面とが凸曲面として構成されていること。
（３）  上記（１）または（２）の構成のワイヤーハーネス用プロテクタにおいて、
前記蓋体の一側縁が前記プロテクタ本体の一方の側壁の上端縁に薄肉ヒンジを介して回動自在に連結され、前記蓋体の他側縁に前記差し込み壁が設けられると共に、該差し込み壁に対応する前記プロテクタ本体の他方の側壁の内面に前記ロック凸部が設けられていること。
【００１０】
上記（１）の構成のプロテクタによれば、プロテクタ本体の側壁の内面にロック凸部が設けられ、そのロック凸部に、蓋体の差し込み壁に設けたロック凹部が係合するように構成されているので、プロテクタ本体の側壁の外面にロック枠のような突出物が出ず、車両に搭載する際にロック凸部が搭載スペースの周辺物の邪魔になることがない。また、ロック凸部の上面には、電線挿入用開口から挿入されたワイヤーハーネスを電線収容空間の中央側に向けて誘導する傾斜面が設けられているので、蓋体を閉じるときに蓋体側の差し込み壁とプロテクタ本体側のロック凸部との間に電線を噛み込むのを有効に防止することができる。また、ロック凸部が設けられたプロテクタ本体の側壁の上端内面には、蓋体を閉じる際に差し込み壁の下端と側壁の上端が接触したとき、差し込み壁を側壁の内面に沿うように誘い込む誘導斜面が設けられているので、スムーズに差し込み壁をプロテクタ本体の側壁の内面に沿って誘導することができ、蓋体をロックする際の力を小さく抑えることができる。また、誘導斜面と差し込み壁の隙間に治具を差し込むことにより、差し込み壁や側壁を撓ませることができるので、ロック凸部とロック凹部の係合を容易に解除することができ、蓋体のロックを必要に応じて簡単に解くことができる。
上記（２）の構成のプロテクタによれば、差し込み壁の下端外面に、プロテクタ本体の側壁の誘導斜面と摺動する傾斜面が設けられており、差し込み壁の傾斜面と側壁の誘導斜面とが凸曲面として構成されているので、蓋体を閉じてロックする際の摺動抵抗を少なくして、小さい力で容易にロックを成立させることができる。
上記（３）の構成のプロテクタによれば、蓋体の一側縁が薄肉ヒンジで位置規制されているので、そのヒンジを支点に蓋体を回動させることにより、容易に蓋体を適正位置に閉じてロックさせることができる。
【発明の効果】
【００１１】
本発明によれば、蓋体をロックするためのロック凸部をプロテクタ本体の側壁の外面に設けずに内面に設けているので、車両に搭載する際にロック凸部が搭載スペースの周辺物の邪魔になることがない。また、ロック凸部の上面に、電線を電線収容空間の中央側に誘導する傾斜面を設けているので、プロテクタ本体の側壁の内面にロック凸部を設けるものの、電線の噛み込みを有効に防止することができる。また、ロック凸部の設けられたプロテクタ本体の側壁の上端内面に、蓋体側の差し込み壁をプロテクタ本体の側壁の内面に沿うように誘い込む誘導斜面を設けているので、ロックをスムーズに行うことができると共に、必要時に治具を誘導斜面と差し込み壁との隙間に挿入することによって、ロックの解除を容易に行うことができる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の実施形態のプロテクタの構成図で、（ａ）は全体概要を示す側面図、（ｂ）は同プロテクタのロック機構を構成するロック凸部とロック凹部の拡大斜視図、（ｃ）はプロテクタ本体側のロック凸部の別方向から見た斜視図である。
【図２】同プロテクタの要部の作用説明図で、（ａ）は蓋体の差し込み壁の下端がプロテクタ本体の側壁の上端に接触して、差し込み壁が側壁の内側に誘導され始めている状態を示す側断面図、（ｂ）はロック凸部とロック凹部が係合して蓋体が閉じ位置でロックされた状態を示す側断面図である。
【図３】従来のプロテクタの断面図である。
【発明を実施するための形態】
【００１４】
以下、本発明の一実施形態を図面に基づいて説明する。
図１は実施形態のプロテクタの構成図で、（ａ）は全体概要を示す側面図、（ｂ）は同プロテクタのロック機構を構成するロック凸部とロック凹部の拡大斜視図、（ｃ）はプロテクタ本体側のロック凸部の別方向から見た斜視図、図２は同プロテクタの要部の作用説明図で、（ａ）は蓋体の差し込み壁の下端がプロテクタ本体の側壁の上端に接触して、差し込み壁が側壁の内側に誘導され始めている状態を示す側断面図、（ｂ）はロック凸部とロック凹部が係合して蓋体が閉じ位置でロックされた状態を示す側断面図である。
【００１５】
このプロテクタは、合成樹脂の一体成形品よりなるもので、プロテクタ本体１０と、蓋体２０と、ロック機構３０とを有している。プロテクタ本体１０は、底壁１１と一対の側壁１２、１３とを有し、上面が電線挿入用開口１７ａとして開口し、内部の空間が電線収容空間１７とされた断面Ｕ字状をなしている。また、蓋体２０は、プロテクタ本体１０の上面の電線挿入用開口１７ａを閉じる板体２１よりなるもので、薄肉ヒンジ１８を介して、プロテクタ本体１０の一方の側壁１２の上端に上下方向回動自在に連結されている。
【００１６】
プロテクタ本体１０の薄肉ヒンジ１８と反対側の側壁１３の内面には、ロック凸部１４が設けられている。また、蓋体２０のロック凸部１４に対応する位置には、蓋体２０が閉じたときにロック凸部１４に係合するロック凹部２４を外面に有した差し込み壁２３が設けられており、これらロック凸部１４とロック凹部２４とでロック機構３０が構成されている。
【００１７】
蓋体２０は、板体２１の一側縁がプロテクタ本体１０の一方の側壁１２の上端縁に薄肉ヒンジ１８を介して連結されることで、上下方向に回動自在とされ、板体２１の他側縁に差し込み壁２３が垂下されている。
【００１８】
ロック機構３０を構成するロック凸部１４は、プロテクタ本体１０の一方の側壁１３の内面に、電線収容空間１７の内部に向かって突出するよう設けられており、そのロック凸部１４の上面には、電線挿入用開口１７ａから挿入されたワイヤーハーネスを電線収容空間１７の中央側に向けて誘導する傾斜面１４ａが設けられている。またロック凸部１４の下面には、蓋体２０の開閉方向（矢印Ａで示す上下方向）に対して交差する方向に沿った係止壁面１４ｂが形成されている。
【００１９】
また、蓋体２０の差し込み壁２３は、蓋体２０を閉じたときに、ロック凸部１４を有するプロテクタ本体１０の側壁１３の内面に沿って差し込まれる部分で、外面に、ロック凸部１４が嵌まるロック凹部２４を有している。このロック凹部２４の内側壁には、蓋体２０の開閉方向（矢印Ａで示す上下方向）に対して交差し、且つ、ロック凹部２４とロック凸部１４とが嵌まり合ったとき、係止壁面１４ｂと係合することで、蓋体２０を開き方向に係止する係止壁面２４ａが設けられている。
【００２０】
また、ロック凸部１４が設けられたプロテクタ本体１０の側壁１３の上端内面には、蓋体２０を閉じる際に差し込み壁２３の下端と側壁１３の上端が接触したとき、差し込み壁２３を側壁１３の内面に沿うように誘い込む誘導斜面１５が設けられている。また、差し込み壁２３の下端外面には、側壁１３の誘導斜面１５と摺動する傾斜面２５が設けられている。そして、差し込み壁２３の傾斜面２５と側壁１３の誘導斜面１５とが凸曲面として構成されている。
【００２１】
次に作用を説明する。
図示しないワイヤーハーネスを本実施形態のプロテクタにセットする場合、まず、プロテクタ本体１０の上面の電線挿入用開口１７ａから電線収容空間１７にワイヤーハーネスを挿入する。その際、プロテクタ本体１０の側壁１３の内面にロック凸部１４が突出しているものの、その上面に傾斜面１４ａが設けられているので、ワイヤーハーネスの各電線を電線収容空間１７の内側にスムーズに誘導することができ、蓋体２０を閉じたときに、差し込み壁２３の下端とロック凸部１４との間に電線を噛み込むのを防ぐことができる。
【００２２】
次にその状態で、蓋体２０を矢印Ｂのように閉じると、図２（ａ）に示すように、蓋体２０の差し込み壁２３の下端とプロテクタ本体１０の側壁１３の上端が突き当たることになるが、差し込み壁２３の下端と側壁１３の上端には、互いに摺動する傾斜面２５と誘導斜面１５とが設けられているので、これらの案内作用により、スムーズに差し込み壁２３を側壁１３の内面に沿って誘導することができる。そして、蓋体２０を閉じることにより、差し込み壁２３の下端の傾斜面２５とロック凸部１４の傾斜面１４ａが摺動し、それに伴って側壁１３や差し込み壁２３などが撓むことで、ロック凸部１４が、差し込み壁２３の傾斜壁２５を乗り越えて、ロック凹部２４に係合する。この状態で、ロック凸部１４の係止壁部１４ｂとロック凹部２４の係止壁部２４ａが係合し、それにより、蓋体２０が閉じ位置にロックされる。
【００２３】
次に何らかの事情によりロックを解除する必要が生じたら、図２（ｂ）に示すように、プロテクタ本体１０の側壁１３の上端の誘導斜面１５と差し込み壁２３との隙間Ｓに治具を差し込み、治具によって隙間Ｓを押し広げる、側壁１３や差し込み壁２３を撓ませる。そうすることにより、ロック凸部１４とロック凹部２４の係合を解くことができ、そのまま蓋体２０を持ち上げれば、ロックを解除して蓋体２０を容易に開くことができる。
【００２４】
以上の説明のように、本実施形態のプロテクタによれば、プロテクタ本体１０の側壁１３の内面にロック凸部１４を設け、そのロック凸部１４に、蓋体２０の差し込み壁２３に設けたロック凹部２４を係合させるように構成しているので、プロテクタ本体１０の側壁１３の外面にロック枠のような突出物が出ず、車両に搭載する際にロック凸部１４が搭載スペースの周辺物の邪魔になることがない。
【００２５】
また、ロック凸部１４の上面に、電線挿入用開口１７ａから挿入されたワイヤーハーネスを電線収容空間１７の中央側に向けて誘導する傾斜面１４ａを設けているので、蓋体２０を閉じるときに蓋体２０側の差し込み壁２３とプロテクタ本体１０側のロック凸部１４との間に電線を噛み込むのを防止することができる。
【００２６】
また、ロック凸部１４が設けられたプロテクタ本体１０の側壁１３の上端内面に、蓋体２０を閉じる際に差し込み壁２３の下端と側壁１３の上端が接触したとき、差し込み壁２３を側壁１３の内面に沿うように誘い込む誘導斜面１５を設けているので、スムーズに差し込み壁２３をプロテクタ本体１０の側壁１３の内側に誘導することができ、蓋体２０をロックする際の力（挿入力）を小さく抑えることができる。
【００２７】
また、誘導斜面１５と差し込み壁２３の隙間Ｓに治具を差し込むことにより、差し込み壁２３や側壁１３を撓ませることができるので、ロック凸部１４とロック凹部２４の係合を容易に解除することができ、蓋体２０のロックを必要に応じて簡単に解くことができる。
【００２８】
また、差し込み壁２３の下端外面に、プロテクタ本体１０の側壁１３の誘導斜面１５と摺動する傾斜面２５を設けており、差し込み壁２３の傾斜面２５と側壁１３の誘導斜面１５とを凸曲面として構成しているので、蓋体２０を閉じてロックする際の摺動抵抗を少なくして、小さい力で容易にロックを成立させることができる。
【００２９】
また、蓋体２０の一側縁を薄肉ヒンジ１８で位置規制しているので、そのヒンジ１８を支点にして蓋体２０を回動させることにより、容易に蓋体２０を適正位置に閉じてロックさせることができ、取り扱いが容易である。
【００３０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３１】
例えば、蓋体２０の一側縁を薄肉ヒンジ１８を介してプロテクタ本体１０の一方の側壁１２の上端縁に連結しているが、薄肉ヒンジ１８を設けないで、蓋体２０完全にプロテクタ本体１０から切り離し、蓋体２０の一側縁にも差し込み壁２３とロック凹部２４を設け、プロテクタ本体１０の両方の側壁にロック凸部１４を設けてもよい。
【符号の説明】
【００３２】
１０  プロテクタ本体
１１  底壁
１２，１３  側壁
１４  ロック凸部
１４ａ  傾斜面
１４ｂ  係止壁部
１５  誘導斜面
１７  電線収容空間
１７ａ  電線挿入用開口
１８  薄肉ヒンジ
２０  蓋体
２３  差し込み壁
２４  ロック凹部
２４ａ  係止壁部
２５  傾斜面
３０  ロック機構
【図１】
2012152030.tif 000003
【図２】
2012152030.tif 000004
【図３】
2012152030.tif 000005